(57)【要約】【課題】  耳介腔に装着したインナーホンのプロテクターで密閉された外耳道内の気密空間の、再生音の高音圧などによる圧力上昇分が振動板に反発力として作用し、再生音に悪影響を与えたり、振動板を損傷したりすることを防止したインナーホンを提供する。【解決手段】  耳介腔の周面に密接するプロテクターの少なくとも周壁部に、外耳道内空間とインナーホンの外部空間とを連通する連通路を形成したインナーホン。【選択図】  図１
2006166159.tif 000002
【特許請求の範囲】
【請求項１】
コードが挿通されたハウジングと、ボイスコイルを有する振動板およびボイスコイルを駆動する磁気回路を含むと共に振動板の背面側に設けられたユニットドライバーと、振動板からの再生音を通過させる多数の透孔を有して振動板外面を覆う円板部および円板部の外周縁に結合してハウジングの円形開口に取り付けられる周壁部を含むプロテクターとでなり、プロテクターの円板部外面を外耳道入口に向けると共に周壁部外周面が耳介腔周面側に向けて装着されるインナーホンにおいて、プロテクターに少なくともその周壁部において外耳道内空間とインナーホンの外部空間との連通路を形成したことを特徴とするインナーホン。
【請求項２】
連通路は円板部外面の一部に設けた凹部と該凹部に連続して周壁部外周面に設けた凹溝とでなることを特徴とする請求項１記載のインナーホン。
【請求項３】
連通路は周壁部に設けた貫通孔でなることを特徴とする請求項１記載のインナーホン。
【請求項４】
貫通孔は円板部外面の一部に設けた凹部に連続して設けられることを特徴とする請求項３記載のインナーホン。
【請求項５】
連通路は周壁部外周面に近接して円板部外面の一部に設けた突起でなり、該突起は耳介腔周面を押して連通路となる空間を突起に隣接して形成することを特徴とする請求項１記載のインナーホン。
【請求項６】
突起は周壁部外周面に沿って伸びることを特徴とする請求項５記載のインナーホン。
【発明の詳細な説明】
【技術分野】
【０００１】
この発明は人の耳介腔に装着して使用するインナーホンに関する。
【背景技術】
【０００２】
この種のインナーホンは、一般に、アンプの出力端子からのコードを挿通するハウジングの円形開口に、コードと接続したボイスコイルを担持する振動板とボイスコイルに対峙する磁気回路とでなるユニットドライバーを、ダンパーを介して取付け、振動板の再生音を通過させる多数の透孔を円板部に有すると共に振動板外面を保護する円形のプロテクターをハウジング開口に取付けて構成されている。
【０００３】
そして、使用に当たっては、プロテクターの円板部を外耳道入口に向けるようにしてプロテクターの外周面を耳介腔の周面に密接させ、インナーホンは耳介腔に装着される。
【０００４】
この装着状態において、インナーホンはそのプロテクターの円板部全面と鼓膜との間の外耳道内にほぼ密閉された気密空間を形成する。この気密空間の圧力は場合によって反発力として働いて振動板を押圧し、音声信号による駆動とは無関係な現象が発生する。
【０００５】
従来のインナーホンにおいては、インナーホン内部において振動板の前方空間と後方空間とを連通することによって、両空間を振動板で隔離する場合の弊害を除く構成に付いてはいくつかの提案が見られるが、インナーホン全体による外耳道内空間の密閉による上記の現象の発生を抑制する構成の提案は今までのところ見られていない。
【０００６】
例えば実用新案公報平２−２４３１０に提案されるヘッドホンにおいては、振動板の前面の一部に左右対称の遮蔽板を設け、振動板から放射される音の透過率を下げる構成が採用されている。この遮蔽板は逆に振動板に対する外耳道内気密空間の反発力から振動板を遮蔽するように作用し得るとしても、遮蔽板の無い部分においてはむしろ反発力が強く作用して振動板の損傷を大きくする危険があり、このような遮蔽板は反発力抑制に有効な手段とはなり得ない。
【０００７】
また、別の例として特開平１０−３２７４９２に記載されたヘッドホンにおいては、ヘッドホンの耳部接触部と音声発信部との間に隙間を有する外周壁を設けて音声発信部と耳とを離間させると共に隙間から音を逃がすことにより、音質感、振動感、圧迫感等を軽くすることが図られている。隙間を有する外周壁としては、音声発信部の周辺部から垂直に伸ばした複数の柱状体または隙間や穴等を有する壁状体が例示され、また柱状体の場合にはその長さを調節可能とする例も示される。
【０００８】
しかし、このような隙間を有する外周壁はその全周面において音を外部空間に逃がすものである以上、使用者の周囲に対する音の環境問題を生じるばかりでなく、使用者自身にとっても逆に周囲の雑音に影響されることとなる。更に、音声発信部を耳から離間させるように伸びる外周壁はヘッドホンの大型化、製造工程の複雑化、製造コストの増加等の原因となる。
【特許文献１】実用新案公報平２−２４３１０（実開昭６１−７８４９５号公報）
【特許文献２】特開平１０−３２７４９２号公報
【発明の開示】
【発明が解決しようとする課題】
【０００９】
従来のインナーホンの耳介腔への装着状態においてプロテクター全面と鼓膜との間の外耳道内に形成される気密空間は、例えば振動板の再生音の高い音圧がこれに加えられた時、気密空間の圧力が反発力として作用して振動板を押圧し、振動板を外部空間方向に押戻し、少なくとも部分的に、場合によっては全面的に振動板を凹ませてしまうような現象が起きる。
【００１０】
この現象によって振動板は不快な音を発生したり、振動板ないしインナーホン自体が破損したりすると言う課題が生じる。
【００１１】
この発明はこのような課題を解決するためになされたもので、その第一の目的はインナーホンの耳介腔への装着時に外耳道内に形成される気密空間をインナーホンの外部空間に連通させることによって、外耳道内の気密空間の圧力が反発して振動板を凹ませたり破損させたりする現象の発生を抑制したインナーホンを提供することである。
【００１２】
また、この発明の第二の目的は、簡易構成によって振動板を気密空間の反発力から保護し、しかもインナーホンを大型化したり製造コストを増加させたりすることなく、第一の目的を達成することである。
【課題を解決するための手段】
【００１３】
前記課題を解決するため、請求項１記載の発明に係るインナーホンは、コードが挿通されたハウジングと、ボイスコイルを有する振動板およびボイスコイルを駆動する磁気回路を含むと共に振動板の背面側に設けられたユニットドライバーと、振動板からの再生音を通過させる多数の透孔を有して振動板外面を覆う円板部および円板部の外周縁に結合してハウジングの円形開口に取り付けられる周壁部を含むプロテクターとでなり、プロテクターの円板部外面を外耳道入口に向けると共に周壁部外周面が耳介腔周面側に向けて装着されるインナーホンにおいて、プロテクターに少なくともその周壁部において外耳道内空間とインナーホンの外部空間との連通路を形成したことを特徴とする。
【００１４】
また、請求項２記載の発明に係るインナーホンは、連通路が円板部外面の一部に設けた凹部と該凹部に連続して周壁部外周面に設けた凹溝とでなることを特徴とする。
【００１５】
請求項３記載の発明に係るインナーホンは、連通路が周壁部に設けた貫通孔とでなることを特徴とする。
【００１６】
請求項４記載の発明に係るインナーホンは、貫通孔が円板部外面の一部に設けた凹部に連続して設けられることを特徴とする。
【００１７】
請求項５記載の発明に係るインナーホンは、連通路が周壁部外周面に近接して円板部外面の一部に設けた突起でなり、該突起は耳介腔周面を押して連通路となる空間を突起に隣接して形成することを特徴とする。
【００１８】
請求項６記載の発明に係るインナーホンは、突起が周壁部外周面に沿って伸びることを特徴とする。
【発明の効果】
【００１９】
この発明によれば、インナーホンは耳介腔に装着された時に耳介腔周面に接して外耳道内を気密空間にするプロテクターの少なくとも周壁部に、外耳道内空間とインナーホンの外部空間とを連通路を形成したため、気密空間から振動板をへこますような反発力が作用した時、この反発力を生じる圧力空気の少なくとも一部が連通路を介して外部空間に逃がされ、振動板の凹みや破損等の損傷が防止される。
【００２０】
また、この発明によれば、インナーホンはその必須の構成要素であるプロテクター自体に内部の気密空間と外部空間とがつながる通路を形成したため、インナーホンの部品点数を増やすことなく、また、インナーホンの寸法が増大することもない。
【発明を実施するための最良の形態】
【００２１】
以下にこの発明の実施例を添付図面に基づいて説明する。
【実施例１】
【００２２】
図１（Ａ），（Ｂ），（Ｃ）はこの発明にかかるインナーホンの第１実施例の正面図、側面図、および正面図のＩ−Ｉ線に沿う断面図である。
【００２３】
図１（Ａ）〜（Ｃ）においてこの実施例のインナーホン１０は、円形開口部１１ａを一端に有し、図示しないアンプからのコード１１ｂを他端から円形開口部１１ａまで挿通するハウジング１１と、磁気ギャップを有するほぼ円盤状の磁気回路１２ａおよび磁気ギャップ内に位置させたボイスコイル１２ｂを有し、かつ磁気回路１２の前面側に設けた振動板１２ｃを有すると共に、ハウジング１１の円形開口部１１ａの内面に取り付けてなるユニットドライバー１２と、少なくとも一部に振動板１２ｃからの音を通過させる多数の透孔１３ｂが形成され、かつ振動板の前面を覆う円板部１３ａおよびこの円板部１３ａの外周に結合してハウジングの円形開口部１１ａの外面に取り付ける周壁部１３ｃを有するプロテクター１３とから構成されている。
【００２４】
そして、この第１実施例のインナーホン１０は、プロテクター１３は円板部１３ａの表面の一部にほぼ放射状に延びる凹部１４ａと、この凹部１４ａに連続してプロテクターの周壁部１３ｃの裏面側まで伸びるように外周面の一部に設けた凹溝１４ｂとでなる連通路１４を形成したことに特徴を有している。
【００２５】
使用する場合、インナーホン１０は使用者の耳介１５内の外耳道１６に通じる耳介腔１５ａに、プロテクター１３の周壁部１３ｃを耳介腔１５の周面に密接させ、円板部１３ａを外耳道１６の内方に向けて装着する。
【００２６】
上記のインナーホン１０の装着状態において、ユニットドライブ１２で駆動された振動板１２ｃによる再生音は音波としてプロテクター１３の透孔１３ｂを通過して外耳道１６に伝播され、鼓膜に達する。ここでインナーホン１０の耳介腔１５ａ周面との密接度が高いほど外耳道１６の内部は高い気密度の気密区間として保持される。そして、前記したように例えば再生音の高い音圧が気密空間に加えられた時、図１（Ｃ）において矢印で示すように、気密空間の圧力上昇分の少なくとも一部は、プロテクター１３の円板部１３ａと周壁部１３ｃに連続して設けた凹部１４ａと凹溝１４ｂとによる連通路１４を介して耳介１５の外部空間１７に放出される。したがって気密空間の圧力上昇分の全てが反発力として振動板に作用し、損傷を与えることはない。
【００２７】
上記第１実施例において、プロテクター１３の透孔１３ｂは特に図１（Ａ）に見られるように円板部１３ａの一方の半分のみに設けられ、連通路１４の凹部１４ａは他の半部、つまり透孔の無い部分に設けられるが、これは特にステレオ型インナーホンの左用、右用に適合させるためであって、透孔は円板部の全面、または、連通路の凹部以外の全面に設けても良いことは勿論である。
【００２８】
図示の場合、図１（Ａ）と図１（Ｃ）に見られるように、連通路１４の凹溝１４ｂを設ける部分においてプロテクター１３の外周を他の部分の真円形状からやや楕円形状に隆起させることにより、凹溝１４ｂの両側部を外周から張り出させ、連通空間の確実な形成を図っているが、プロテクター外周は真円形状のままでも良い。
【００２９】
なお、その他図１（ｃ）において、符号Ｄはダンパーで、このダンパーＤは磁気回路１２ａのヨーク１２ｅに形成された孔の背面部側に設けられ、振動板１２ｃの振動による背圧はヨーク１２ｅの孔→ダンパーＤ→ハウジング１１に形成された孔を介し外部に抜けるように構成されている。このダンパーＤは通気抵抗体として作用する。
【実施例２】
【００３０】
図２（Ａ）〜（Ｃ）はこの発明に係るインナーホンの第２実施例の正面図、側面図、および正面図のII−II線断面図である。
【００３１】
この第２実施例のインナーホン２０においては、連通路２４は、プロテクター２３の円板部２３ａの表面の、透孔２３ｂの無い半部にほぼ扇形に広がる凹部２４ａと、扇形の要部分とした凹部２４ａの外周端部分において凹部２４ａに連続して、プロテクター２３の表面側から裏面側まで周壁部２３ｃを貫通して設けた貫通孔２４ｂとでなる。望ましい形態として、貫通孔２４ｂは周壁部２３ｃの周面方向に沿って延びる薄いスリット形状にするが、各々周面方向に短い複数のスリット、もしくは複数の細孔にすることもできる。また、凹部２４ａは扇形に限らず、他の形状にすることも可能であり、更には省略することもできる。
【００３２】
この第２実施例におけるインナーホン２０の他の部分の構成は第１実施例のものと同一であるため、同一部分は図１（Ａ）〜（Ｃ）に示す符号に１０を付加した符号で示し、詳細な説明は省略する。また、この第２実施例における連通路２４の動作、作用も第１実施例の場合と実質的に同一であり、説明は省略する。更に、図２（Ａ）と図２（Ｃ）に見られるように、連通路の貫通孔２４ｂを設ける部分において、第１実施例と同様にプロテクター外周を部分的にやや張り出させて充分な連通路空間を確保しているが、プロテクター外周は真円のままでも良い。
【実施例３】
【００３３】
図３（Ａ）〜（Ｃ）はこの発明に係るインナーホンの第３実施例の正面図、側面図、および正面図のIII−III線断面図である。
【００３４】
この第３実施例のインナーホン３０においては、連通路を形成する部材として、プロテクター３３はその円板部３３ａの透孔３３ｂの無い部分の、周壁部３３ｃの外周面に近接する位置において、円板部外面詰まり表面側に突き出す突起３４を備える。望ましい形態としてこの突起３４は周壁部外周面に沿って延びる単一の突条として設けられるが、長さの無い単独の、または複数の突起、あるいは連接する複数の短い突条としても良い。
【００３５】
図３（Ｃ）に示す耳介腔１５ａへの装着状態において、インナーホン３０が備える突起３４は耳介腔周面を押圧し、特に図３（Ｃ）の突起３４の基部に点線で示すように、突起３４の、この場合突条の両端部分に沿って空間が生じ、比較的に大きい連通路が形成され、第１実施例の場合と実質的に同様に、この連通路を介して外耳道内気密空間における圧力上昇分は外部空間１７に逃がされる。
【００３６】
このインナーホン３０の他の部分の構成は第１実施例のものと同一であるため、同一部分は図（Ａ）〜（Ｃ）に示す符号に２０を付加した符号で示し、詳細な説明は省略する。
【００３７】
なお、第２図（ｃ）、第３図（ｃ）における符号Ｄは第１図（ｃ）に示した第１実施例と同様のダンパーである。
【図面の簡単な説明】
【００３８】
【図１】（Ａ）〜（Ｃ）はこの発明に係るインナーホンの第１実施例における正面図、側面図および正面図のＩ−Ｉ線に沿う断面図をそれぞれ示す。
【図２】（Ａ）〜（Ｃ）はこの発明に係るインナーホンの第２実施例における正面図、側面図および正面図のII−II線に沿う断面図である。
【図３】（Ａ）〜（Ｃ）はこの発明に係るインナーホンの第３実施例における正面図、側面図および正面図のIII−III線に沿う断面図である。
【符号の説明】
【００３９】
１０；２０；３０        インナーホン
１１；２１；３１        ハウジング
１１ａ；２１ａ；３１ａ  円形開口部
１１ｂ；２１ｂ；３１ｂ  コード
１２；２２；３２        ユニットドライバー
１２ａ；２２ａ；３２ａ  磁気回路
１２ｂ：２２ｂ；３２ｂ  ボイスコイル
１２ｃ；２２ｃ；３２ｃ  振動板
１２ｅ                  ヨーク
１３；２３；３３        プロテクター
１３ａ；２３ａ；３３ａ  円板部
１３ｂ；２３ｂ；３３ｂ  透孔
１３ｃ；２３ｃ；３３ｃ  周壁部
１４；２４              連通路
３４                    突起
１４ａ；２４ａ          凹部
１４ｂ；２４ｂ          凹溝
１５                    耳介
１５ａ                  耳介腔
１６                    外耳道
１７                    外部空間
Ｄ                      ダンパー
【図１】
2006166159.tif 000003
【図２】
2006166159.tif 000004
【図３】
2006166159.tif 000005